(57)【要約】【課題】本発明は、プラズマ表示装置及びその駆動方法に関する。【解決手段】本発明では、一つのフレームを成す複数のサブフィールドを第１サブフィールドグループと第２サブフィールドグループとに分割する。第１サブフィールドグループのうちの第１サブフィールド及び第２サブフィールドは、リセット期間、第１ライングループに対応する放電セルを選択する第１アドレス期間、第１維持期間、第２ライングループに対応する放電セルを選択する第２アドレス期間、及び第２維持期間を含む。一方、第２サブフィールドグループのうちの第３サブフィールド及び第４サブフィールドは、リセット期間、第２ライングループに対応する放電セルを選択する第３アドレス期間、第３維持期間、第１ライングループに対応する放電セルを選択する第４アドレス期間、及び第４維持期間を含む。【選択図】図６
2006317894.tif 000002
【特許請求の範囲】
【請求項１】
一つのフレームを複数のサブフィールドに分け、前記複数のサブフィールドを第１及び第２サブフィールドグループに分離して駆動するプラズマ表示装置の駆動方法において、
複数の放電セルでスキャンされるラインを第１ライングループ及び第２ライングループに分割し、
前記第１サブフィールドグループのうちの第１加重値を有する第１サブフィールド、及び前記第１加重値より大きく、隣接した加重値である第２加重値を有する第２サブフィールドは、
（ａ）前記複数の放電セルをリセットする段階；
（ｂ）前記第１ラインのグループに対応する放電セルをアドレシングした後、第１維持放電を発生させる段階；及び
（ｃ）前記第２ラインのグループに対応する放電セルをアドレシングした後、第２維持放電を発生させる段階；を含み、
前記第２サブフィールドグループのうちの第３加重値を有する第３サブフィールド、及び前記第３加重値より大きく、隣接した加重値である第４加重値を有する第４サブフィールドは、
（ｄ）前記複数の放電セルをリセットする段階；
（ｅ）前記第２ラインのグループに対応する放電セルをアドレシングした後、第３維持放電を発生させる段階；及び
（ｆ）前記第１ラインのグループに対応する放電セルをアドレシングした後、第４維持放電を発生させる段階；を含む、プラズマ表示装置の駆動方法。
【請求項２】
前記第２維持放電は、前記段階（ｂ）でアドレシングされた放電セル及び前記段階（ｃ）でアドレシングされた放電セルで発生する、請求項１に記載のプラズマ表示装置の駆動方法。
【請求項３】
前記第４維持放電は、前記段階（ｅ）でアドレシングされた放電セル及び前記段階（ｆ）でアドレシングされた放電セルで発生する、請求項２に記載のプラズマ表示装置の駆動方法。
【請求項４】
前記第１ライングループは偶数ライングループであり、前記第２ライングループは奇数ライングループである、請求項１に記載のプラズマ表示装置の駆動方法。
【請求項５】
第１加重値の大きさと前記第３加重値の大きさは同一であり、前記第２加重値の大きさと前記第４加重値の大きさは同一である、請求項１に記載のプラズマ表示装置の駆動方法。
【請求項６】
前記第１維持放電で印加される維持放電パルスの数と前記第２維持放電で印加される維持放電パルスの数が同一であり、前記第３維持放電で印加される維持放電パルスの数と前記第４維持放電で印加される維持放電パルスの数が同一である、請求項１又は５に記載のプラズマ表示装置の駆動方法。
【請求項７】
前記第１維持放電乃至前記第４維持放電で印加される維持放電パルスの数が互いに同一である、請求項５に記載のプラズマ表示装置の駆動方法。
【請求項８】
前記第２加重値の大きさは前記第１加重値の大きさより２倍大きく、前記第４加重値の大きさは前記第３加重値の大きさより２倍大きい、請求項１に記載のプラズマ表示装置の駆動方法。
【請求項９】
前記第１サブフィールドグループに含まれるサブフィールド個数は前記第２サブフィールドグループに含まれるサブフィールド個数と同一であり、前記第１サブフィールドグループに含まれる各サブフィールドが有する加重値は、前記第２サブフィールドグループに含まれる各サブフィールドが有する加重値と互いに同一である、請求項１に記載のプラズマ表示装置の駆動方法。
【請求項１０】
複数の放電セルを含み、前記複数の放電セルでスキャンされるラインが第１ライングループ及び第２ライングループに分離されて駆動されるプラズマ表示パネル；
一つのフレームを複数のサブフィールドに分け、前記複数のサブフィールドを第１及び第２サブフィールドグループに分離して駆動されるように制御する制御部；及び
前記制御部の制御によって前記プラズマ表示パネルを駆動する駆動部；を含み、
前記第１サブフィールドグループのうちの互いに隣接した加重値を有する第１サブフィールド及び第２サブフィールドは、前記複数の放電セルを初期化するリセット期間、前記第１ライングループに対応する放電セルのうちの選択する放電セルを選択する第１アドレス期間、維持放電させる第１維持期間、前記第２ライングループに対応する放電セルのうちの選択する放電セルを選択する第２アドレス期間、及び維持放電させる第２維持期間を含み、
前記第２サブフィールドグループのうちの互いに隣接した加重値を有する第３サブフィールド及び第４サブフィールドは、前記複数の放電セルを初期化するリセット期間、前記第２ライングループに対応する放電セルのうちの選択する放電セルを選択する第３アドレス期間、維持放電させる第３維持期間、前記第１ライングループに対応する放電セルのうちの選択する放電セルを選択する第４アドレス期間、及び維持放電させる第４維持期間を含む、プラズマ表示装置。
【請求項１１】
前記第２維持期間では、前記第１アドレス期間及び第２アドレス期間より選択された放電セルが維持放電し、
前記第４維持期間では、前記第３アドレス期間及び第４アドレス期間より選択された放電セルが維持放電する、請求項１０に記載のプラズマ表示装置。
【請求項１２】
第１有機期間で印加される維持放電パルスの個数と前記第２維持期間で印加される維持放電パルスの個数が同一であり、
第３維持期間で印加される維持放電パルスの個数と前記第２維持期間で印加される維持放電パルスの個数が同一である、請求項１０に記載のプラズマ表示装置。
【請求項１３】
前記第１サブフィールドに割り当てられた加重値の大きさと前記第３サブフィールドに割り当てられた加重値の大きさが同一であり、前記第２サブフィールドに割り当てられた加重値の大きさと前記第４サブフィールドに割り当てられた加重値の大きさが同一である、請求項１０に記載のプラズマ表示装置。
【請求項１４】
前記第１乃至第４維持期間で各々印加される維持放電パルスの個数は互いに同一である、請求項１３に記載のプラズマ表示装置。
【請求項１５】
前記第２サブフィールドに割り当てられた加重値の大きさは前記第１サブフィールドに割り当てられた加重値の大きさより２倍さらに大きく、前記第４サブフィールドに割り当てられた加重値の大きさは前記第３サブフィールドに割り当てられた加重値の大きさより２倍さらに大きい、請求項１０乃至１４のうちのいずれか一つの項に記載のプラズマ表示装置。
【請求項１６】
前記第１サブフィールドグループに含まれるサブフィールド個数は前記第２サブフィールドグループに含まれるサブフィールド個数と同一であり、前記第１サブフィールドグループに含まれる各サブフィールドが有する加重値は前記第２サブフィールドグループに含まれる各サブフィールドが有する加重値と互いに同一である、請求項１０乃至１４のうちのいずれか一つの項に記載のプラズマ表示装置。
【請求項１７】
前記第１ライングループは偶数ライングループであり、前記第２ライングループは奇数ライングループである、請求項１０乃至１４のうちのいずれか一つの項に記載のプラズマ表示装置。
【請求項１８】
一つのフレームを複数のサブフィールドに分け、前記複数のサブフィールドを少なくとも第１及び第２サブフィールドグループを含むグループに分離して駆動するプラズマ表示装置の駆動方法において、
複数の放電セルでスキャンされるラインを第１ライングループ及び第２ライングループに分離し、
前記第１サブフィールドグループのうちの第１加重値を有する第１サブフィールド、及び前記第１加重値より大きく、隣接した加重値である第２加重値を有する第２サブフィールドは、
前記複数の放電セルをリセットする段階；
前記第１ライングループに対応する放電セルをアドレシングした後、第１維持放電を発生させる段階；及び
前記第２ライングループに対応する放電セルをアドレシングした後、第２維持放電を発生させる段階；を含む、プラズマ表示装置の駆動方法。
【請求項１９】
前記第２加重値は前記第１加重値の２倍であり、前記第１維持放電によって発生する維持放電回数と前記第２維持放電によって発生する維持放電回数が同一である、請求項１８に記載のプラズマ表示装置の駆動方法。
【請求項２０】
前記第２維持放電は、前記第１ライングループに対応する放電セルに対してアドレシングした放電セル、及び前記第２ライングループに対応する放電セルに対してアドレシングした放電セルで発生する、請求項１８に記載のプラズマ表示装置の駆動方法。
【発明の詳細な説明】
【技術分野】
【０００１】
本発明はプラズマ表示装置及びその駆動方法に係り、特に、フリッカーを低減するプラズマ表示装置及びその駆動方法に関するものである。
【背景技術】
【０００２】
最近、液晶表示装置（liquid  crystal  display、ＬＣＤ）、電界放出表示装置（field  emission  display、ＦＥＤ）、プラズマ表示装置などの平面表示装置が活発に開発されている。これら平面表示装置の中でプラズマ表示装置は、他の平面表示装置に比べて輝度及び発光効率が高く、視野角が広いという長所がある。したがって、プラズマ表示装置は、４０インチ以上の大型表示装置において従来の陰極線管（cathode  ray  tube、ＣＲＴ）を代替する表示装置として脚光を浴びている。
【０００３】
直流型プラズマ表示装置は、電極が、放電空間が絶縁しないまま露出されていて、電圧が印加される間に電流が放電空間にそのまま流れるようになり、このために電流制限のための抵抗を形成しなければならない短所がある。反面、交流型プラズマ表示装置では、電極を誘電体層が覆っていて、自然にキャパシタンス成分が形成されて電流が制限され、放電時にイオンの衝撃から電極が保護されるので、直流型に比べて寿命が長いという長所がある。
【０００４】
このようなプラズマ表示装置は、図１に示したように、入力される一つのフレームの映像信号データを複数のサブフィールドに分け、このサブフィールドを組み合わせて階調を表現する。各サブフィールドを時間的な動作変化で表現すれば、リセット期間、アドレス期間、及び維持期間からなる。リセット期間は、セルにアドレシング動作が円滑に行われるようにするために各セルの状態を初期化させる期間であり、アドレス期間は、パネルで点灯されるセルと点灯されないセルを選択するために、点灯されるセル（アドレシングされたセル）にアドレス電圧を印加して壁電荷を蓄積する動作を行う期間である。維持期間は、維持放電パルスを印加して、アドレス期間でアドレシングされたセルに実際に画像を表示するための放電を遂行する期間である。
【０００５】
図１では、２５６階調を実現するために一つのフレームを８個のサブフィールドに分けた場合を示した。各サブフィールド（ＳＦ１−ＳＦ８）は、リセット期間（図示せず）、アドレス期間（Ａ１−Ａ８）、及び維持期間（Ｓ１−Ｓ８）からなり、維持期間（Ｓ１−Ｓ８）は、発光期間（１Ｔ、２Ｔ、４Ｔ、…、１２８Ｔ）の比が１：２：４：８：１６：３２：６４：１２８になる。
【０００６】
この時、例えば、３という階調を実現するためには、１Ｔ発光期間を有するサブフィールド（ＳＦ１）と２Ｔ発光期間を有するサブフィールド（ＳＦ２）とで放電セルを放電させ、放電される期間の合計が３Ｔになるようにする。このような方法で互いに異なる発光期間を有するサブフィールドを組み合わせて２５６階調の映像を表示する。
【０００７】
一方、プラズマ表示装置では、階調を表現するにおいてフリッカー（flicker）が発生するが、これは人間の視覚的特性と密接な関係がある。一般的に、画面が大きいほど又は周波数が低いほどフリッカーがさらによく感知される。プラズマ表示装置では、ＰＡＬ映像信号の画像を実現する場合、前記二つの条件が満たされるために多量のフリッカーが発生する。ここで、フリッカーの発生する二つの条件のうち、画面の大きさを調整することは不可能であるので、残りの周波数を調整する方法を使用してフリッカーを低減することができる。
【０００８】
このような周波数を調整してフリッカーの発生を低減させる従来の方法として、下記特許文献１が挙げられる。特許文献１は、５０Ｈｚの映像信号を利用してプラズマ表示装置を駆動する際に発生する大画面フリッカーを低減するために、図２に示したように、一つのフレーム内のサブフィールドを２個のグループ（Ｇ１、Ｇ２）に分け、各グループがＬＳＢ（Least  Significant  Bit）サブフィールドを除いた残りのサブフィールド加重値の配列が同一な構造を有するように設定したり、又は各グループのサブフィールド加重値（Weight）を類似に配分する方式を使用する。このような方法は、従来の最小増加配列又は最小減少配列などのサブフィールド配列に比べて、フリッカーを低減するのに効果の大きな方法である。
【特許文献１】米国特許第６７１４２５０号
【発明の開示】
【発明が解決しようとする課題】
【０００９】
しかし、図２に示した従来の方法は、発光量を完全に同一に二つのグループに分散させることができないため、特定の階調でフリッカーが誘発するおそれがある。
【００１０】
本発明が目的とする技術的課題は、前記従来技術の問題点を解決するためのものであって、フリッカーをさらに減らすことができるプラズマ表示装置及びその駆動方法を提供することにある。
【課題を解決するための手段】
【００１１】
前記目的を達成するために、本発明の一つの特徴によれば、一つのフレームを複数のサブフィールドに分け、前記複数のサブフィールドを第１及び第２サブフィールドグループに分離して駆動するプラズマ表示装置の駆動方法が提供される。この駆動方法は、複数の放電セルでスキャンされるラインを第１ライングループ及び第２ライングループに分割し、前記第１サブフィールドグループのうちの第１加重値を有する第１サブフィールド、及び前記第１加重値より大きく、隣接した加重値である第２加重値を有する第２サブフィールドは、（ａ）前記複数の放電セルをリセットする段階；（ｂ）前記第１ラインのグループに対応する放電セルをアドレシングした後、第１維持放電を発生させる段階；及び（ｃ）前記第２ラインのグループに対応する放電セルをアドレシングした後、第２維持放電を発生させる段階；を含み、前記第２サブフィールドグループのうちの第３加重値を有する第３サブフィールド、及び前記第３加重値より大きく、隣接した加重値である第４加重値を有する第４サブフィールドは、（ｄ）前記複数の放電セルをリセットする段階；（ｅ）前記第２ラインのグループに対応する放電セルをアドレシングした後、第３維持放電を発生させる段階；及び（ｆ）前記第１ラインのグループに対応する放電セルをアドレシングした後、第４維持放電を発生させる段階；を含む。ここで、前記第２維持放電は、前記段階（ｂ）でアドレシングされた放電セル及び前記段階（ｃ）でアドレシングされた放電セルで発生し、前記第４維持放電は、前記段階（ｅ）でアドレシングされた放電セル及び前記段階（ｆ）でアドレシングされた放電セルで発生する。一方、前記第１ライングループは偶数ライングループであり、前記第２ライングループは奇数ライングループである。そして、前記第１維持放電で印加される維持放電パルスの数と前記第２維持放電で印加される維持放電パルスの数が同一であり、前記第３維持放電で印加される維持放電パルスの数と前記第４維持放電で印加される維持放電パルスの数が同一である。
【００１２】
本発明の他の特徴によるプラズマ表示装置は、複数の放電セルを含み、前記複数の放電セルでスキャンされるラインが第１ライングループ及び第２ライングループに分離されて駆動されるプラズマ表示パネル；一つのフレームを複数のサブフィールドに分け、前記複数のサブフィールドを第１及び第２サブフィールドグループに分離して駆動されるように制御する制御部；及び前記制御部の制御によって前記プラズマ表示パネルを駆動する駆動部；を含み、前記第１サブフィールドグループのうちの互いに隣接した加重値を有する第１サブフィールド及び第２サブフィールドは、前記複数の放電セルを初期化するリセット期間、前記第１ライングループに対応する放電セルのうちの選択する放電セルを選択する第１アドレス期間、維持放電させる第１維持期間、前記第２ライングループに対応する放電セルのうちの選択する放電セルを選択する第２アドレス期間、及び維持放電させる第２維持期間を含み、前記第２サブフィールドグループのうちの互いに隣接した加重値を有する第３サブフィールド及び第４サブフィールドは、前記複数の放電セルを初期化するリセット期間、前記第２ライングループに対応する放電セルのうちの選択する放電セルを選択する第３アドレス期間、維持放電させる第３維持期間、前記第１ライングループに対応する放電セルのうちの選択する放電セルを選択する第４アドレス期間、及び維持放電させる第４維持期間を含む。ここで、前記第２維持期間では、前記第１アドレス期間及び第２アドレス期間より選択された放電セルが維持放電し、前記第４維持期間では、前記第３アドレス期間及び第４アドレス期間より選択された放電セルが維持放電する。一方、第１有機期間で印加される維持放電パルスの個数と前記第２維持期間で印加される維持放電パルスの個数が同一であり、第３維持期間で印加される維持放電パルスの個数と前記第２維持期間で印加される維持放電パルスの個数が同一である。また、前記第２サブフィールドに割り当てられた加重値の大きさは、前記第１サブフィールドに割り当てられた加重値の大きさより２倍さらに大きく、前記第４サブフィールドに割り当てられた加重値の大きさは、前記第３サブフィールドに割り当てられた加重値の大きさより２倍さらに大きい。そして、前記第１ライングループは偶数ライングループであり、前記第２ライングループは奇数ライングループである。
【００１３】
本発明の他の特徴によれば、一つのフレームを複数のサブフィールドに分け、前記複数のサブフィールドを少なくとも第１及び第２サブフィールドグループを含むグループに分離して駆動するプラズマ表示装置の駆動方法が提供される。この駆動方法は、複数の放電セルでスキャンされるラインを第１ライングループ及び第２ライングループに分離し、前記第１サブフィールドグループのうちの第１加重値を有する第１サブフィールド、及び前記第１加重値より大きく、隣接した加重値である第２加重値を有する第２サブフィールドは、前記複数の放電セルをリセットする段階；前記第１ライングループに対応する放電セルをアドレシングした後、第１維持放電を発生させる段階；及び前記第２ライングループに対応する放電セルをアドレシングした後、第２維持放電を発生させる段階；を含む。ここで、前記第２加重値は前記第１加重値の２倍であり、前記第１維持放電によって発生する維持放電回数と前記第２維持放電によって発生する維持放電回数が同一である。
【発明の効果】
【００１４】
本発明によれば、任意の階調に対し、二つのグループのサブフィールドの同一な地点で発光するようにすることにより、フリッカーの発生をさらに抑制することができる。また、本発明によれば、一つのフレームでの二つのグループのサブフィールドの占有期間を減らすことができるので、輝度を向上させたりサブフィールドの個数を増加させることができる。
【発明を実施するための最良の形態】
【００１５】
以下、添付した図面を参照して、本発明の実施形態について本発明の属する技術分野における通常の知識を有する者が容易に実施できるように詳細に説明する。しかし、本発明は多様な相違した形態で実現でき、ここで説明する実施形態に限定されない。
【００１６】
図面においては、本発明を明確に説明するために説明上不要な部分は省略した。明細書全体を通じて類似な部分については同一図面符号を付けた。
【００１７】
以下では、本発明の実施形態によるプラズマ表示装置及びその駆動方法について、図面を参照して詳細に説明する。
【００１８】
図３は、本発明の実施形態によるプラズマ表示装置の概略的な平面図である。
【００１９】
図３に示したように、本発明の実施形態によるプラズマ表示装置は、プラズマ表示パネル１００、制御部２００、アドレス電極駆動部３００、走査電極駆動部４００、及び維持電極駆動部５００を含む。
【００２０】
プラズマ表示パネル１００は、列方向に延びている複数のアドレス電極（Ａ１〜Ａｍ）、そして行方向に互いに対を成しながら延びている複数の維持電極（Ｘ１〜Ｘｎ）及び走査電極（Ｙ１〜Ｙｎ）を含む。維持電極（Ｘ１〜Ｘｎ）は各走査電極（Ｙ１〜Ｙｎ）に対応して形成され、一般的に、その一端が互いに共通に連結されている。そして、プラズマ表示パネル１００は、維持及び走査電極（Ｘ１〜Ｘｎ、Ｙ１〜Ｙｎ）が配列された基板（図示せず）と、アドレス電極（Ａ１〜Ａｍ）が配列された基板（図示せず）とからなる。両基板は、走査電極（Ｙ１〜Ｙｎ）とアドレス電極（Ａ１〜Ａｍ）、及び維持電極（Ｘ１〜Ｘｎ）とアドレス電極（Ａ１〜Ａｍ）が各々直交するように、放電空間を隔てて対向して配置される。この時、アドレス電極（Ａ１〜Ａｍ）と維持及び走査電極（Ｘ１〜Ｘｎ、Ｙ１〜Ｙｎ）との交差部にある放電空間が放電セルを形成する。このようなプラズマ表示パネル１００の構造は一例であって、以下で説明する駆動方法が適用できる他の構造のパネルも本発明に適用できる。
【００２１】
制御部２００は、外部から映像信号を受信して、アドレス電極駆動制御信号、維持電極駆動制御信号、及び走査電極駆動制御信号を出力する。そして、制御部２００は、一つのフレームを複数のサブフィールドに分割して駆動する。この時、本発明の実施形態による制御部２００は、以下で説明するように、フリッカーの発生を抑制するために複数のサブフィールドを二つのグループに分離し、二つのグループのサブフィールド間のサブフィールド加重値を同一に配列する。また、各サブフィールドで駆動されるライン（放電セルで、各走査電極（Ｙ１〜Ｙｎ）に沿って横ラインに対応する部分であって、以下、同一な意味に使用する。）は、奇数ライン（odd  line）又は偶数ライン（evenline）とに互いに区分されて駆動され、サブフィールドの配列順序にしたがって奇数ラインと偶数ラインが交互に駆動される。これに関する具体的な説明は後述する。
【００２２】
アドレス電極駆動部３００は、制御部２００からアドレス電極駆動制御信号を受信し、表示しようとする放電セルを選択するための表示データ信号を各アドレス電極に印加する。
【００２３】
走査電極駆動部４００は、制御部２００から走査電極駆動制御信号を受信し、走査電極に駆動電圧を印加する。
【００２４】
維持電極駆動部５００は、制御部２００から維持電極駆動制御信号を受信し、維持電極に駆動電圧を印加する。
【００２５】
以下、本発明の実施形態によるフリッカーを低減するサブフィールド加重値の配列、及びプラズマ表示装置の駆動方法について、図４乃至図７を参照して説明する。
【００２６】
図４は、本発明の実施形態によるサブフィールド加重値の配列を示す図である。図４でアラビア数字の意味は、各サブフィールド（ＳＦ１、ＳＦ２、…、ＳＦ１´、ＳＦ２´、…、ＳＦ８´）の加重値（Weight）を示す。
【００２７】
図４に示したように、本発明の実施形態による一つのフレームのサブフィールド加重値の配列は二つのサブフィールドグループ（Ｇ１´、Ｇ２´）に分離され、各サブフィールドグループ（Ｇ１´、Ｇ２´）間のサブフィールドは互いに同一な加重値を有する。第１サブフィールドグループ（Ｇ１´）のサブフィールド加重値の配列は、｛１（ＳＦ１）、２（ＳＦ２）、４（ＳＦ３）、８（ＳＦ４）、１６（ＳＦ５）、３２（ＳＦ６）、６４（ＳＦ７）、１２８（ＳＦ８）｝の順序を有し、第２サブフィールドグループ（Ｇ２´）のサブフィールド加重値の配列は、｛１（ＳＦ１´）、２（ＳＦ２´）、４（ＳＦ３´）、８（ＳＦ４´）、１６（ＳＦ５´）、３２（ＳＦ６´）、６４（ＳＦ７´）、１２８（ＳＦ８´）｝の順序を有する。また、二つのサブフィールドグループ（Ｇ１´、Ｇ２´）間のサブフィールド加重値は互いに同一な加重値を有し、例えば、第１サブフィールドグループ（Ｇ１´）のサブフィールド（ＳＦ１）に割り当てられたサブフィールド加重値１と第２サブフィールドグループ（Ｇ２´）のサブフィールド（ＳＦ１´）に割り当てられたサブフィールド加重値１は互いに同一である。ここで、第１サブフィールドグループ（Ｇ１´）のうちのサブフィールド（ＳＦ２、ＳＦ４、ＳＦ６、ＳＦ８）は偶数ライン（図４で‘Ｅ’に表示）のみをアドレシングして駆動し、サブフィールド（ＳＦ１、ＳＦ３、ＳＦ５、ＳＦ７）は奇数ライン（図４で‘Ｏ’に表示した）のみをアドレシングして駆動する。そして、第２サブフィールドグループ（Ｇ２´）のうちのサブフィールド（ＳＦ１´、ＳＦ３´、ＳＦ５´、ＳＦ７´）は偶数ライン（図４で‘Ｅ’に表示）のみをアドレシングして駆動し、サブフィールド（ＳＦ２´、ＳＦ４´、ＳＦ６´、ＳＦ８´）は奇数ライン（図４で‘Ｏ’に表示）のみをアドレシングして駆動する。つまり、二つのグループ（Ｇ１´、Ｇ２´）で同一な加重値は有するサブフィールド間において、一側が奇数ラインのみをアドレシングして駆動すれば、他の一側は偶数ラインのみをアドレシングして駆動し、第１サブフィールドグループ（Ｇ１´）のサブフィールドは、サブフィールド順序にしたがって奇数ラインと偶数ラインを交互にアドレシングして駆動し、第２サブフィールドグループ（Ｇ２´）のサブフィールドは、サブフィールド順序にしたがって偶数ラインと奇数ラインを交互にアドレシングして駆動する。ここで、図４とは異なり、第１サブフィールドグループ（Ｇ１´）の各サブフィールドでアドレシングされる奇数ラインと偶数ラインとの間の順序が変更される場合、第２サブフィールドグループ（Ｇ２´）の各サブフィールドでアドレシングされる偶数ラインと奇数ラインとの間の順序も変更される。
【００２８】
しかし、図４のようにサブフィールドの個数を１６個とする場合には従来のサブフィールドの個数より増えるので、各サブフィールドに従来のようにリセット期間、アドレス期間、維持期間を割り当てる場合、リセット期間が従来より２倍増加して維持期間が相対的に減少し、輝度が低くなる問題が発生する。以下では、図５を参照して、二つのサブフィールド間で一つのリセット期間を互いに共有して駆動する方法について説明する。
【００２９】
図５は、連続する二つのサブフィールドを一つのリセット期間を通じて駆動する方法を示す図である。
【００３０】
図５に示したように、二つのサブフィールドはリセット期間（Ｒ）、偶数ラインアドレス期間（ＡＥ）、第１維持期間（Ｓ１）、奇数ラインアドレス期間（ＡＯ）、及び第２維持期間（Ｓ２）を含む。ここで、二つの維持期間（Ｓ１、Ｓ２）には同一な個数の維持放電パルスが印加されて、同一な加重値（加重値ｎ）を有する。
【００３１】
まず、リセット期間（Ｒ）では、全ての放電セルをアドレシングに適した状態になるように初期化される。次に、偶数ラインアドレス期間（ＡＥ）では、偶数ラインにのみアドレス放電を発生させてアドレシングする。そうすると、第１維持期間（Ｓ１）では、偶数ラインアドレス期間（ＡＥ）で偶数ラインのうちのアドレシングされたセルのみで維持放電が発生して、加重値ｎが表現される。一方、第１維持期間（Ｓ１）の後には、リセット期間なしで直ちに奇数ラインアドレス期間（ＡＯ）が位置する。つまり、奇数ラインアドレス期間（ＡＯ）では、奇数ラインにのみアドレス放電を発生させてアドレシングする。この時、第２維持期間（Ｓ２）では、加重値ｎに相当する維持放電パルスが印加される。そうすると、第２維持期間（Ｓ２）では、奇数ラインアドレス期間（ＡＯ）でアドレシングされた奇数ラインだけでなく、偶数ラインアドレス期間（ＡＥ）でアドレシングされて第１維持期間（Ｓ１）で維持放電が発生した偶数ラインにも維持放電が発生する。したがって、第１維持期間（Ｓ１）及び第２維持期間（Ｓ２）で全て加重値ｎに相当する維持放電パルスが印加されるので、偶数ラインは加重値２ｎが表現され、奇数ラインは加重値ｎが表現される。このようにすれば、連続するサブフィールドを一つのリセット期間を通じて実現可能である。ここで、リセット期間（Ｒ）、偶数ラインアドレス期間（ＡＥ）、第１維持期間（Ｓ１）、奇数ラインアドレス期間（ＡＯ）、及び第２維持期間（Ｓ２）を具体的に実現する方法は、本発明の属する技術分野の通常の知識を有する者であれば容易に分かるので、以下で具体的説明は省略する。
【００３２】
図５で説明した方法を、第１サブフィールドグループ（Ｇ１´）のうちの連続するサブフィールドである第１サブフィールド（ＳＦ１）及び第２サブフィールド（ＳＦ２）に適用して見れば次の通りである。図５で、第１維持期間（Ｓ１）及び第２維持期間（Ｓ２）に全て加重値１に相当する維持放電パルスを印加する。そうすると、偶数ラインは、第１維持期間（Ｓ１）及び第２維持期間（Ｓ２）で全て維持放電が発生するので、加重値２に相当する第２サブフィールド（ＳＦ２）が表現され、奇数ラインは第２維持期間（Ｓ２）でのみ維持放電が発生するので、加重値１に相当するサブフィールド（ＳＦ１）が表現される。同様な方法で、第１サブフィールドグループ（Ｇ１´）のうちの連続する第３サブフィールド（ＳＦ３）及び第４サブフィールド（ＳＦ４）の場合は、第１維持期間（Ｓ１）及び第２維持期間（Ｓ２）に各々加重値４を割り当て、第５サブフィールド（ＳＦ５）及び第６サブフィールド（ＳＦ６）の場合は、第１維持期間（Ｓ１）及び第２維持期間（Ｓ２）に各々加重値１６を割り当て、第７サブフィールド（ＳＦ７）及び第８サブフィールド（ＳＦ８）の場合は、第１維持期間（Ｓ１）及び第２維持期間（Ｓ２）に各々加重値６４を割り当てる。そして、第２サブフィールドグループ（Ｇ２´）のサブフィールドを実現するためには、図５において偶数ラインと奇数ラインとの間のアドレス順序を変えればよい。つまり、リセット期間（Ｒ）、奇数ラインアドレス期間（ＡＯ）、第１維持期間（Ｓ１）、偶数ラインアドレス期間（ＡＥ）、及び第２維持期間（Ｓ２）の順に配列し、加重値ｎは、第１グループ（Ｇ１´）と同様な方法で適用すればよい。
【００３３】
このように、図４に示した各サブフィールドを実現するために図５のような方法を適用すれば、図６に示された配列になる。図６は、図５で示す方法を図４に示した全てのサブフィールドに適用した場合を示した図である。図６を参照すれば、第１サブフィールドグループ（Ｇ１´）では、リセット期間後の偶数ラインアドレス期間が奇数ラインアドレス期間より先に位置し、第２サブフィールドグループ（Ｇ２´）では、リセット期間後の奇数ラインアドレス期間が偶数ラインアドレス期間より先に位置する。そして、連続するサブフィールドは一つのリセット期間（Ｒ）のみ有すれば、二つの維持期間に割り当てられた加重値は、サブフィールドに割り当てられる加重値にも同一に設定される。
【００３４】
図７は、本発明の実施形態によるサブフィールド配列及び駆動方法を適用する場合、各階調に対応する階調テーブルを示す図である。図７では便宜上、所定の階調に対する階調テーブルのみを示した。
【００３５】
図７に示したように、奇数ラインに対応する放電セルのうちの階調１を表現するためには、第１サブフィールドグループ（Ｇ１´）の第１サブフィールド（ＳＦ１）が選択されなければならず、偶数ラインに対応する放電セルのうちの階調１を表現するためには、第２サブフィールドグループ（Ｇ２´）の第１サブフィールド（ＳＦ１）´）が選択されなければならない。他の例を挙げれば、奇数ラインに対応する放電セルのうちで階調３を表現するためには、第１サブフィールドグループ（Ｇ１´）の第１サブフィールド（ＳＦ１）及び第２サブフィールドグループ（Ｇ２´）の第２サブフィールド（ＳＦ２´）が選択されなければならず、偶数ラインに対応する放電セルのうちで階調３を表現するためには、第１サブフィールドグループ（Ｇ１´）の第２サブフィールド（ＳＦ２）及び第２サブフィールドグループ（Ｇ２´）の第１サブフィールド（ＳＦ１´）が選択されなければならない。一方、図７を参照すれば、奇数ラインと偶数ラインに同一な階調が表現される場合、第１サブフィールドグループ（Ｇ１´）と第２サブフィールドグループ（Ｇ２´）との間の同一な地点で常に発光する。
【００３６】
図８は、偶数ラインの放電セルで階調１０が表現される場合、及び奇数ラインの放電セルで階調１０が表現される場合の発光地点を示す図である。偶数ラインの放電セルで階調１０が表現される場合、図７を参照すれば、第１サブフィールドグループ（Ｇ１´）の第２サブフィールド（ＳＦ２）及び第４サブフィールド（ＳＦ４）で発光し、奇数ラインの放電セルで階調１０が表現される場合、図７を参照すれば、第２サブフィールドグループ（Ｇ２´）の第２サブフィールド（ＳＦ２´）及び第４サブフィールド（ＳＦ４´）で発光する。したがって、図８に示した地点で発光が発生し、発光地点を見てみれば、第１サブフィールドグループ（Ｇ１´）と第２サブフィールドグループ（Ｇ２´）の同一な地点で発光が発生する。これは他の階調に対しても、奇数ラインと偶数ラインに同一な階調が表現される場合、二つのサブフィールドグループ（Ｇ１´、Ｇ２´）間の同一な地点で発光する。奇数ラインと偶数ラインは互いに隣接したラインであり、隣接したライン間には階調がほとんど類似しているので、本発明の実施形態によるプラズマ表示装置の駆動方法を適用する場合、１００Ｈｚに近い駆動効果が現れる。したがって、フリッカー（flicker）の発生を多く減らすことができる。
【００３７】
一方、本発明の実施形態による駆動方法と、図２に示した従来の駆動方法を各々適用する場合、一つのフレームで二つのサブフィールドグループが占有する時間について説明すれば次の通りである。ここで、リセット期間の占有時間、アドレス期間の占有時間、及び維持期間での加重値１の占有時間を各々Ｒｔ、Ａｔ、Ｓｔと仮定する。図２を参照すれば、各サブフィールドは、リセット期間、アドレス期間、及び維持期間を含むので、二つのサブフィールドグループ（Ｇ１、Ｇ２）の占有時間は１４×Ｒｔ＋１４×Ａｔ＋２５１Ｓｔに計算される。一方、図６に示したアドレス期間は、偶数ラインアドレス期間又は奇数ラインアドレス期間であり、Ａｔ/２の時間が所要されるので、本発明の実施形態による駆動方法による占有時間は、８×Ｒｔ＋（Ａｔ/２）×１６＋３４０Ｓｔに計算される。従来の方法と比較してみれば、リセット期間が６個（６Ｒｔ）、アドレス期間が６個（６Ａｔ）減少したため、維持期間が２４０Ｓｔから３６０Ｓｔに増加したことは大きな問題にならない。例えば、Ｒｔ＝３００ｕｓ、Ａｔ＝８００ｕｓ、Ｓｔ＝５ｕｓとすれば、従来の方法は、１４×Ｒｔ＋１４×Ａｔ＋２５１Ｓｔ＝１６６５５ｕｓであり、本発明の実施形態による駆動方法は、８×Ｒｔ＋（Ａｔ/２）×１６＋３４０Ｓｔ＝１０５００ｕｓである。したがって、本発明の実施形態による方法が従来の方法よりリセット期間及びアドレス期間の個数を減少させることができるので、二つのグループの占有時間を短縮させることができ、このような占有時間の短縮によって維持期間が追加的に確保可能になり、輝度を向上させることができたり、サブフィールドの追加も可能になる。
【００３８】
前記の本発明の実施形態では、横ラインの放電セルを奇数ライン及び偶数ラインに分離して駆動する方法について説明したが、横ラインの放電セルを全体的に上、下に分けて駆動する場合にも本発明は適用可能である。
【００３９】
以上、本発明の好ましい実施形態について詳細に説明したが、本発明の権利範囲はこれに限定されるものではなく、特許請求の範囲で定義している本発明の基本概念を利用した当業者のいろいろな変形及び改良形態もまた本発明の権利範囲に属する。
【図面の簡単な説明】
【００４０】
【図１】従来のプラズマ表示装置の階調表示方法を示す図である。
【図２】従来のサブフィールド加重値の配列を示した図である。
【図３】本発明の実施形態によるプラズマ表示装置の概略的な平面図である。
【図４】本発明の実施形態によるサブフィールド加重値の配列を示す図である。
【図５】連続する二つのサブフィールドを一つのリセット期間を通じて駆動する方法を示す図である。
【図６】図５で示す方法を、図４に示された全てのサブフィールドに適用した場合を示した図である。
【図７】本発明の実施形態によるサブフィールド配列及び駆動方法を適用する場合、各階調に対応する階調テーブルを示す図である。
【図８】偶数ラインの放電セルで階調１０が表現される場合、及び奇数ラインの放電セルで階調１０が表現される場合の発光地点を示す図である。
【符号の説明】
【００４１】
１００  プラズマ表示パネル
２００  制御部
３００  アドレス電極駆動部
４００  走査電極駆動部
５００  維持電極駆動部
【図１】
2006317894.tif 000003
【図２】
2006317894.tif 000004
【図３】
2006317894.tif 000005
【図４】
2006317894.tif 000006
【図５】
2006317894.tif 000007
【図６】
2006317894.tif 000008
【図７】
2006317894.tif 000009
【図８】
2006317894.tif 000010